(57)【要約】  本発明は、飲料用カップの容量調節装置に係り、飲酒または飲料の飲用に際してカップに取り付けて自分の飲酒量または飲用量に合わせて容量を調節することのできる装置に関する。このために、本発明は、少なくともカップの内側空間よりも小さい体積をもって形成され、カップの内側に挿入されながらその下端部位がカップの底面部位に接する形状を有し、内側には磁石が配備された挿入部と、前記カップの外側の下端に位置し、内側には前記挿入部の磁石との作用のための磁石が配備されて前記磁石間の磁力により前記挿入部をカップの内側に固定する外側固定部と、を備える。【選択図】  図２
2019505281.tif 000002
【特許請求の範囲】
【請求項１】
少なくともカップの内側空間よりも小さい体積をもって形成され、カップの内側に挿入されながらその下端部位がカップの底面部位に接する形状を有し、内側には磁石が配備された挿入部と、
前記カップの外側の下端に位置し、内側には前記挿入部の磁石との作用のための磁石が配備されて前記磁石間の磁力により前記挿入部をカップの内側に固定する外側固定部と、
を備える飲料用カップの容量調節装置。
【請求項２】
前記挿入部は、透明または不透明な材質であることを特徴とする請求項１に記載の飲料用カップの容量調節装置。
【請求項３】
前記外側固定部は、
カップの動きを感知するセンサーと、
前記センサーの信号を入力されて設定された時間内に入力が発生した場合にアラーム発生信号を出力するＣＰＵと、
前記ＣＰＵの出力によりアラームを発生させる表示部と、
を備えることを特徴とする請求項１に記載の飲料用カップの容量調節装置。
【請求項４】
前記外側固定部は、
重さを感知するセンサーと、
前記センサーの信号を入力されて増加する重さ値を累積し、累積された重さ値を出力するＣＰＵと、
前記ＣＰＵの出力を表示する表示部と、
を備えることを特徴とする請求項１に記載の飲料用カップの容量調節装置。
【請求項５】
前記外側固定部は、
お酒の情報を入力する入力部と、
重さを感知するセンサーと、
前記センサーの信号を入力されて増加する重さ値を累積し、累積される重さ値に対して入力部から入力されたお酒の情報に基づいて飲用するアルコールの量を換算して出力するＣＰＵと、
前記ＣＰＵの出力を表示する表示部と、
を備えることを特徴とする請求項１に記載の飲料用カップの容量調節装置。
【請求項６】
お酒のアルコール含有量を測定するアルコール測定センサーを更に備え、
前記外側固定部は、
重さを感知するセンサーと、
前記センサーの信号を入力されて増加する重さ値を累積し、累積される重さ値に対して前記アルコール測定センサーから入力されたアルコール含有情報に基づいて飲用するアルコールの量を換算して出力するＣＰＵと、
前記ＣＰＵの出力を表示する表示部と、
を備えることを特徴とする請求項１に記載の飲料用カップの容量調節装置。
【発明の詳細な説明】
【技術分野】
【０００１】
本発明は、飲料用カップの容量調節装置に係り、飲酒または飲料の飲用に際してカップに取り付けて自分の飲酒量または飲用量に合わせて容量を調節することのできる装置に関する。
【背景技術】
【０００２】
以下の本発明においては、飲酒のためのカップ（酒杯）の場合を例にとって説明する。
【０００３】
韓国のお酒文化としては、個々人の飲酒量を問わずに酒の席に参加した全員が一杯のお酒を一気に飲むという文化が深く根付いている。
【０００４】
これは、相対的に飲酒量が少ない人や、特に女性の場合には社会生活を営む上でかなりの負担をかけてしまい、しかも、ともすれば健康上の問題を生み出しがちになる。
【０００５】
したがって、自分の飲酒量に合わせてお酒を飲むことが好ましいとはいえ、社会生活を営んだり人間関係を築いたりするために、カップ、すなわち、カップの全体の体積を用いて周りの人々と一緒にお酒を飲む間に飲み過ぎになるのが世の常である。
【０００６】
このような問題を解消するために、大韓民国公開特許第１０−２０１１−００１７６３７号公報（容量が調節可能な酒杯）には、図１に示すように、酒杯本体１１０に挿入されて上下方向に昇降する昇降部材１２０が配備され、酒杯本体１１０の外側の下部に駆動部１３０が取り付けられてねじ部材１３３が酒杯本体１１０の底面部位を貫通してねじ込まれた後、昇降部材１２０に係合することにより、ハンドル１３４の調節によりねじ部材１３３が回転して昇降部材１２０を昇降または下降させるような構造を有することが開示されている。
【０００７】
このため、昇降部材１２０が昇降及び下降することにより、本体１１０のお酒の貯留容量を自分の飲酒量に合わせて適切なレベルに調節することが可能になる。
【０００８】
ところが、このような従来の技術による酒杯は、自分が昇降部材１２０及び駆動部１３０が取り付けられた酒杯本体１１０を用意して酒の席においてお酒を飲まなければならないが、この場合、酒の席に参加した他の人々とは異なる酒杯（カップ）を使用するため、違和感を感じる虞がある。
【０００９】
また、昇降部材１２０に引込み溝１２２が形成されてシール部１２３が形成され、且つ、駆動部１３０のねじ部材１３３が本体１１０の底面部位を貫通して昇降部材１２０に締め付けられるような仕組みとなっているため非常に複雑であることはもとより、昇降部材１２０及び駆動部１３０に異物が入り易いため衛生的な管理の側面からみても非常に不利である。
【先行技術文献】
【特許文献】
【００１０】
【特許文献１】大韓民国公開特許第１０−２０１１−００１７６３７号公報
【発明の概要】
【発明が解決しようとする課題】
【００１１】
本発明は、従来のこのような問題を解消するために、お酒を飲む場所において提供する通常のカップ（酒杯）に非常に単純な構造を有する装置を個々人が更に取り付けるようにすることで、他の人々との違和感を極力抑えながら、相対的に飲酒量の自己決定権の行使を補助し、しかも、衛生的な管理の側面からみても非常に有利な飲料用カップの容量調節装置を提供することを目的とする。
【課題を解決するための手段】
【００１２】
上記の目的を達成するための本発明の飲料用カップの容量調節装置は、少なくともカップの内側空間よりも小さい体積をもって形成され、カップの内側に挿入されながらその下端部位がカップの底面部位に接する形状を有し、内側には磁石が配備された挿入部と、前記カップの外側の下端に位置し、内側には前記挿入部の磁石との作用のための磁石が配備されて前記磁石間の磁力により前記挿入部をカップの内側に固定する外側固定部と、を備える。
【発明の効果】
【００１３】
このような本発明によれば、挿入部及び外側固定部が磁石により互いに結合及び分離可能になることから、既存の酒屋で提供するカップを用いて飲用するお酒や飲料の容量が調節可能であるので、絶対飲酒量よりは、自分の飲酒量を考慮に入れた相対的な飲酒量の観点から、周囲とバランスを取ることが可能になる。
【００１４】
また、飲酒量の違いに起因する他の人々との違和感を解消することができ、その構造が非常に簡単であり、しかも、挿入部がカップ内において外側固定部とは独立して固定されることにより、衛生の管理が非常に手軽に行えるというメリットがある。
【図面の簡単な説明】
【００１５】
【図１】従来の技術による酒杯の構造を示す図。
【図２】本発明の構造を示す図。
【図３】本発明の組み合わせ状態の断面の構造を示す図。
【図４】外側固定部の内部の回路の構造を示す図。
【発明を実施するための形態】
【００１６】
以下、添付図面に基づいて本発明を詳述する。
【００１７】
以下、本発明においては、カップを用いてお酒を飲む場合を例にとって説明する。
【００１８】
図２は、本発明の構造を示す図であり、大きく、挿入部１００と、外側固定部２００と、により構成される。
【００１９】
挿入部１００は、ガラスまたはクリスタルなどの透明な材質から形成されてカップ３００の内側に挿入されるものであり、カップ３００の内側の空間よりも小さい体積を有するが、このような挿入部１００は、多種多様な形状を呈してもよい。
【００２０】
例えば、カップ３００の内側に挿入された場合にカップ３００の３０％に相当する体積を有してもよく、５０％または６０％に相当する体積を有してもよい。
【００２１】
また、挿入部１００が、できる限り、カップ３００の内側に挿入されたとき、その下端部位がカップ３００の底面部位に当接し、側面部位がカップ３００の内側面と対応するような形状を有することが好ましい。
【００２２】
挿入部１００の下側部位には磁石１１０が配備されるが、このような磁石１１０は、衛生のために、挿入部１００の形成に際して内側に防水及び密封されて陥没するように位置して外部に露出されないことにより、飲料であるお酒と接触しないようにする。
【００２３】
すなわち、挿入部１００がガラスまたはクリスタルなどの材質から透明に形成され、射出によりこれを形成するとき、磁石１１０を予め内側に位置させた後に射出成形することにより、磁石１１０が外部に露出されなくなり、これにより、挿入部１００がカップ３００の内側に挿入されたときにも、磁石１１０からの有害成分が流出されなくなる。
【００２４】
外側固定部２００もまたガラスまたはクリスタルなどの透明な材質または彩色された不透明な材質から形成されて、カップ３００の下側に位置するが、挿入部１００と同様に、上部の内側に磁石２１０が配備されて外部に露出されない。
【００２５】
このような外側固定部２００の上端部位は、カップ３００の下端部位と同じ形状及び面積を有するか、あるいは、カップ３００の下端部位を据え置きするために溝が形成されてもよく、外側面は、カップ３００が置かれたときに安定的に支持するために垂直形状を有してもよく、あるいは、下側に向かって進むにつれて次第に広くなるように形成されてもよい。
【００２６】
本発明の使用状態について説明すると、お酒を飲む場所、すなわち、食堂や酒場などで提供するカップ３００の内側に、図２に示すように、透明または不透明な挿入部１００を挿入してその下端がカップ３００の底面部位と当接するように位置させた後、外側固定部２００をカップ３００の下側に位置させると、挿入部１００の磁石１１０及び外側固定部２００の磁石２１０が磁力によりカップ３００の底面部位を間に挟んで互いにくっつくことにより、挿入部１００及び外側固定部２００がそれぞれカップ３００の内側及び下側の外部において固定される。
【００２７】
挿入部１００の大きさは使用者の飲酒量に応じて選択されて挿入されることにより、カップ３００の残りの空間にお酒が満たされてカップ３００の容量に見合う分だけ減少し、挿入部１００が透明な材質から形成される場合には、外側において既存の酒杯と融和されて区別がつかなくなる。
【００２８】
また、外側固定部２００もまた透明な材質から形成される場合、あたかもカップ３００と一体化されたかのように見えるので、酒の席に一緒に参加した人々と自然に融和できるようにする。
【００２９】
外側固定部２００を僅かに力を入れてカップ３００から離脱させると、自然に挿入部１００もまたカップ３００の内側から取り外して離脱させることが可能になる。
【００３０】
このように、磁石により挿入部１００をカップ３００の内側に固定することができるので衛生的であり、且つ、その構造が非常に簡単になる。
【００３１】
図３は、外側固定部２００の内側に位置する回路部の構造を示す図であり、たとえ挿入部１００によりお酒の飲用量を減少させたとしても、短い時間内に多数回飲用する場合に多量のお酒を飲むことになるが、回路部により使用者の飲酒量をモニタリングして調節することが可能になる。
【００３２】
このために、外側固定部２００の内側には動きセンサー２２０が配備されて使用者がカップ３００を手に持ったとき、ＣＰＵ ２３０に動き感知信号を与える。
【００３３】
ＣＰＵ ２３０は、動き感知信号が入力された後、既に設定された時間内に再度動き感知信号がセンサー２２０から入力された場合は、多量のお酒を飲む場合に相当するため、表示部２４０を用いて視覚的または聴覚的な警報を発生させる。
【００３４】
このとき、表示部２４０としては、液晶ディスプレイ（ＬＣＤ）パネルまたは発光ダイオード（ＬＥＤ）、スピーカーなどの種々のタイプのものが挙げられる。
【００３５】
したがって、使用者は、このような警報によってお酒の量を調節することができて、自分の飲酒量に合うお酒を飲用することができる。
【００３６】
このとき、外側固定部２００は、合成樹脂材質から形成されて回路部を内蔵する。
【００３７】
一方、飲用したお酒の累積量を測定するために、センサー２２０が重さ感知センサーにより構成されてもよい。
【００３８】
したがって、初期に使用者が入力部２５０を介して「初期モード」を設定すれば、センサー２２０は、カップ３００及び挿入部１００の全体的な重量をセンシングしてＣＰＵ ２３０がこれを「初期値」として保存し、次いで、使用者が入力部２５０を介して「測定モード」を設定すれば、カップ３００に満たされるお酒の重さを累積しながら、累積された値を表示部２４０を介して表示する。
【００３９】
すなわち、減少される重さを測定せず、現在の時点よりも重さが増加すれば、その増加した重さのみを累積するのである。
【００４０】
前記入力部２５０にお酒の種類に応じた選択ボタンが配備された場合、例えば、焼酎、ビール、ウィスキーなどの選択ボタンが配備され、使用者がいずれか一つの選択ボタンを入力すれば、ＣＰＵ ２３０は、上述したように、飲用したお酒の合計の重さをアルコール量に換算して表示部２５０を介して表示することになる。
【００４１】
このために、ＣＰＵ ２３０には各お酒に対するアルコール量のデータが保存されていることになる。
【００４２】
もし、使用者がアルコール度数２５度の焼酎を選択し、合計のお酒の飲用量が２００ｇであれば、アルコールの飲用量が５０ｇである旨を表示部２５０を介して表示する。
【００４３】
また、別途のアルコール測定センサーが組み込まれている場合、センサーを飲むお酒に露出させれば、使用者が一々にお酒の種類に応じた選択ボタンを入力しなくても、自動的にお酒に含有されているアルコールの量をセンシングし、ＣＰＵ ２３０は、上述したように、飲用したお酒の合計の重さをアルコール量に換算して表示部２５０を介して表示することになる。
【図１】
2019505281.tif 000003
【図２】
2019505281.tif 000004
【図３】
2019505281.tif 000005
【図４】
2019505281.tif 000006
【国際調査報告】
2019505281.tif 000007
2019505281.tif 000008
2019505281.tif 000009
2019505281.tif 000010